(57)【要約】【課題】再生可能な、より短いマーク長を有する、超解像性能の高い光情報記録媒体を提供する。【解決手段】光ビーム３０の照射によって情報を記録する、あるいは記録された情報を再生する光情報記録媒体３１において、光ビーム３０の入射面に情報あるいは再生位置を示す凹凸が設けられている基板５と、基板５の光ビーム入射面側に設けられた光ビーム３０を反射する反射層４と、反射層４の表面に設けられた光ビーム３０の光を熱に変換する吸熱層３と、吸熱層３の表面に設けられた上記光ビーム３０の光強度分布に基づいて透過率が変化する再生層２と、を有する。【選択図】図１
2008257861.tif 000002
【特許請求の範囲】
【請求項１】
波長４０８ｎｍの光ビームの照射によって情報を記録する、あるいは記録された情報を再生する、情報の記録が可能な光情報記録媒体において、
上記基板の光ビーム照射面側に、該光情報記録媒体に対応する再生装置の有する光学系解像限界より短いマーク長の信号を再生するための再生層を有すると共に、再生装置の有する光学系解像限界より短いマーク長の記録マークが記録されることを特徴とする光情報記録媒体。
【請求項２】
上記基板の光ビーム照射面側に積層された、情報の記録、再生を補助する機能層と
上記機能層表面に積層された、上記光ビームの光強度分布に基づいて透過率が変化する上記再生層と、を有することを特徴とする請求項１に記載の光情報記録媒体。
【請求項３】
上記再生層が温度によって透過率が変化する材料からなることを特徴とする請求項１または２に記載の光情報記録媒体。
【請求項４】
上記再生層の光入射面側の少なくとも一部が空気に接していることを特徴とする請求項１ないし３のいずれか１項に記載の光情報記録媒体。
【請求項５】
上記機能層として、上記再生層に隣接して、上記光ビームの光を熱に変換する吸熱層が設けられていることを特徴とする請求項１ないし４のいずれか１項に記載の光情報記録媒体。
【請求項６】
上記機能層として、上記基板と上記再生層との間に、上記光ビームを反射する反射層が設けられていることを特徴とする請求項１ないし５のいずれか１項に記載の光情報記録媒体。
【請求項７】
上記再生層が、金属酸化物からなることを特徴とする請求項１ないし６のいずれか１項に記載の光情報記録媒体。
【請求項８】
上記再生層が、酸化亜鉛からなることを特徴とする請求項７に記載の光情報記録媒体。
【請求項９】
上記吸熱層が、ケイ素またはゲルマニウムの単体、あるいは、ケイ素とゲルマニウムと
の合金からなることを特徴とする請求項５に記載の光情報記録媒体。
【請求項１０】
請求項１ないし９のいずれか１項に記載の光情報記録媒体の再生方法であって、基板の再生層が形成されている側から光ビームを照射して、再生装置の有する光学系解像限界より短いマーク長の信号を再生することを特徴とする光情報記録媒体の再生方法。
【発明の詳細な説明】
【技術分野】
【０００１】
本発明は、情報を記録または再生するための光情報記録媒体と、その再生方法に関するものである。
【背景技術】
【０００２】
従来から、より多くの記録容量を有する光情報記録媒体を得るために、より短いマーク長の信号を記録再生する技術が求められている。そして、近年、再生装置の有する光学系解像限界より短いマーク長の信号を再生可能に有する光情報記録媒体（以降、超解像光情報記録媒体と呼ぶ）が開発されている。
【０００３】
このような超解像光情報記録媒体としては、少なくとも基板上に再生層／反射層をこの順に積層させた構成を有し、基板側から再生レーザーを照射することで、再生層にて再生レーザーの光学特性の分布を利用して、反射層に到達するレーザースポットを擬似的に縮小する方法が利用されている。
【０００４】
すなわち、再生層面上に照射された再生レーザーのレーザースポット内には、光強度分布があり、そのため同時に温度分布が生じている。そこで再生層として、温度または光強度により光学特性（主として透過率）が変化する材料を用いることで、高温領域、光強度が高い領域となるレーザースポット中心の透過率のみを上げることができる。再生層において、レーザースポット中心部分の透過率のみが高くなると、反射層にはレーザースポットの中心部分のみが照射され、反射層面上に生じるレーザースポットが擬似的に縮小される。したがって、上記の超解像光情報記録媒体では、結果的に光学系解像限界より短いマーク長の信号を再生することができるのである。
【０００５】
上記光強度により光学特性が変化する材料を用いた層としては、特許文献１に、ガラス、または樹脂のマトリックスに半導体微粒子を分散させた層（シャッタ層）を用いることが記載されている。引用文献１の構成は、図７に示すとおり、基板４５のレーザービーム３０入射側とは反対側の面に、シャッタ層（再生層）４２、光反射層４４が積層されている。
【０００６】
また、温度が高くなると透過率が高くなる材料としては、特許文献２のサーモクロミック色素がある。特許文献２の光情報記録媒体は、図８に示すとおり、基板３５のレーザービーム３０入射側とは反対側の面に、マスク層（再生層）３２、第１誘電層３６、相変化記録膜３７、第２誘電体３８、反射層３４、保護樹脂層３９が積層されている。
【０００７】
以上のように、従来の超解像光情報記録媒体では、いずれも、再生層が基板の光入射面とは反対側の面に設けられていた。
【特許文献１】特開平６−２８７１３（公開日：１９９４年２月４日）
【特許文献２】特開２００１−３５０１２（公開日：２００１年２月９日）
【発明の開示】
【発明が解決しようとする課題】
【０００８】
しかしながら、従来の光情報記録媒体では、解像限界が十分でなく、より解像限界が向上する光情報記録媒体が求められている。
【０００９】
再生層が基板の光入射面とは反対側に面に設けられている構成とした場合、光情報記録媒体に記録層や反射層を形成することを考慮すると、再生層の膜厚を厚くすることができず、したがってより短いマーク長の信号を有する光情報記録媒体を再生することができなかった。
【００１０】
より詳しくは、通常、光情報記録媒体では、反射層に凹凸を設け、この凹凸に照射した光ビームの反射光量が、凹部を照射した場合と凸部とを照射した場合とで干渉により差が生じることを利用して、グルーブ上へのトラッキングや信号読み取りを行っている。そして、反射層へ凹凸を設けるために、基板に情報用、あるいは再生位置確認用のピットやグルーブ等の凹凸を形成し、基板に反射層を積層をさせている。そのため、上記のような従来構造の場合、再生層が前述の凹凸を有する基板上に形成され、さらにその上に、記録層や反射層が形成されることとなる。したがって、再生層をあまり厚くすると、基板の凹凸が埋まってしまい、記録層や反射層にまで凹凸形状が形成されなくなるという恐れがある。
【００１１】
再生層が厚くなると、凹凸形状が埋まってしまう例として、例えば、特許文献１に、樹脂層を再生層として用いているものがあるが、このような樹脂では、その粘度により膜厚を薄くすることが非常に困難であるので、樹脂層を形成した段階で既に情報の根源である基板上の凹凸形状が無くなってしまうといったこと生じる可能性が高く、この上に反射膜を設けても、反射光には凹凸による干渉が生じないことになり情報を読み出すことはできなくなる。また薄い膜厚にすることに制限のない無機膜についても、あまり厚くすると同様に凹凸が埋まってしまう可能性がある点では同じことが言える。そのため、再生層の膜厚を厚くするには限界がある。
【００１２】
一方、このような制限を鑑みて再生層の膜厚を薄くすると、例えば、膜厚が厚い場合に透過率変化が大きくなる再生層が用いられている場合（例えば、屈折率変化を伴う再生層）、薄いことによってレーザースポットの縮小にも限界が生じるため、解像限界が制限される。
【００１３】
また、上記した再生層の膜厚の制限以外にも、種々の理由で光情報記録媒体の解像限界が制限されていると考えられている。
【００１４】
本発明は、上記従来の問題に鑑みなされたものであり、その目的は、再生可能な、より短いマーク長の信号を有する、高密度の記録が可能な光情報記録媒体を提供することにある。
【課題を解決するための手段】
【００１５】
本発明の光情報記録媒体は、上記の課題を解決するために、波長４０８ｎｍの光ビームの照射によって情報を記録する、あるいは記録された情報を再生する、情報の記録が可能な光情報記録媒体において、上記基板の光ビーム照射面側に、該光情報記録媒体に対応する再生装置の有する光学系解像限界より短いマーク長の信号を再生するための再生層を有すると共に、再生装置の有する光学系解像限界より短いマーク長の記録マークが記録されることを特徴としている。
【００１６】
上記基板の光ビーム照射面側に積層された、情報の記録、情報の再生を補助する機能層と、上記機能層表面に積層された、上記光ビームの光強度分布に基づいて透過率が変化する上記再生層と、を有することを特徴としている。
【００１７】
本発明の光情報記録媒体は、上記の課題を解決するために、上記再生層が温度によって透過率が変化する材料からなることを特徴としている。
【００１８】
本発明の光情報記録媒体は、上記の課題を解決するために、上記再生層の光入射面側の少なくとも一部が空気に接していることを特徴としている。
【００１９】
本発明の光情報記録媒体は、上記の課題を解決するために、上記機能層として、再生層に隣接して、上記光ビームの光を熱に変換する吸熱層が設けられていることを特徴としている。
【００２０】
本発明の光情報記録媒体は、上記の課題を解決するために、上記機能層として、上記基板と再生層との間に、上記光ビームを反射する反射層が設けられていることを特徴としている。
【００２１】
本発明の光情報記録媒体は、上記の課題を解決するために、上記再生層が、金属酸化物からなることを特徴としている。上記再生層が、金属酸化物からなることにより、安価で信頼性の高い超解像光情報記録媒体を得ることが可能となる。
【００２２】
本発明の光情報記録媒体は、上記の課題を解決するために、上記再生層が、酸化亜鉛からなることを特徴としている。
【００２３】
本発明の光情報記録媒体は、上記の課題を解決するために、上記吸熱層が、ケイ素またはゲルマニウムの単体、あるいは、ケイ素とゲルマニウムとの合金からなることを特徴としている。
【００２４】
本発明の光情報記録媒体の再生方法は、上記の課題を解決するために、上記の光情報記録媒体を、基板の再生層が形成されている側から光ビームを照射して、再生装置の有する光学系解像限界より短いマーク長の信号を再生することを特徴としている。これにより、高密度に記録された光情報記録媒体からの情報を再生することが可能となる。
【発明の効果】
【００２５】
本発明に係る光情報記録媒体は、以上のように、波長４０８ｎｍの光ビームの照射によって情報を記録する、あるいは記録された情報を再生する、情報の記録が可能な光情報記録媒体であって、記録情報に対応した光学系解像限界より短いマーク長のピットが基板の光ビーム照射面側に設けられており、基板の光ビーム照射面側に、該光情報記録媒体に対応する再生装置の有する光学系解像限界より短いマーク長の信号を再生するための再生層を有している。
【００２６】
また、本発明に係る光情報記録媒体の再生方法は、基板の再生層が形成されている側から光ビームを照射して、再生装置の有する光学系解像限界より短いマーク長の信号を再生する構成である。
【００２７】
従って、本発明に係る光情報記録媒体及び光情報記録媒体の再生方法は、再生可能な、より短いマーク長の信号を有する、高密度の記録が可能な光情報記録媒体及び光情報記録媒体の再生方法を提供することができる。
【発明を実施するための最良の形態】
【００２８】
以下に、本発明の光情報記録媒体の実施の一形態を図面に基づいて詳細に説明する。
【００２９】
本実施形態の光情報記録媒体３１は、図１に示すように、再生専用の光情報記録媒体であり、基板５上に、反射層４、吸熱層３、再生層２、がこの順に形成されており、さらに再生層２にカバー層１を載置した構成である。なお、光情報記録媒体３１では、カバー層１は再生層２とは密着しておらず、間に空気の層が形成されている。
【００３０】
なお、レーザービーム（光ビーム）３０は、光情報記録媒体３１にカバー層１側から照射され、カバー層１、空気の層を透過して再生層２に達し、再生層２、吸熱層３を介して反射層４へ入射するようになっている。反射層４にて反射されたレーザー光３０は、反射層４の凹凸に従った信号に変換されて、再生が行われる。
【００３１】
基板５は、光情報記録媒体１に適当な強度を付与するものである。基板５における光入射側の面（再生層２側の面）上には、記録情報に対応した凹凸形状のピットや案内用の溝、すなわち記録の開始アドレス及び終了アドレスを記録する溝が形成されている。ピットおよび溝は、双方とも形成されていてもよいし、いずれか一方のみが形成されていてもよい。しかし、案内用溝を有していれば、再生／記録装置に負担をかけること無しに、情報を記録または読み出しすることが可能になる。
【００３２】
基板５を構成する材料の光学的特性は、特に限定されるものではなく、透明でも不透明であってもよい。基板５を構成する材料としては、例えば、ガラス；ポリカーボネート、アモルファスポリオレフィン、熱可塑型ポリイミド、ＰＥＴ、ＰＥＮ、ＰＥＳ等の熱可塑性透明樹脂；熱硬化型ポリイミド、紫外線硬化型アクリル樹脂等の熱硬化性透明樹脂；金属等、およびそれらの組合せが挙げられる。また、基板５の厚みは、特に限定されるものではなく、例えば、０．５〜１．２ｍｍ程度が適当である。また、ピットのピッチは０．３〜１．６μｍ程度、ピットの深さは、３０〜２００ｎｍ程度が挙げられる。また、案内用の溝は、０．３〜１．６μｍ程度のピッチ、３０〜２００ｎｍ程度の深さが適当である。
【００３３】
また、反射層４は、カバー層１、再生層２、吸熱層３を透過した光を反射する。このとき、反射膜４は基板５に形成された凹凸面に形成されるため、反射層４にも凹凸が形成される。そして、照射域の凹凸によって変わる反射層４の反射光量にしたがって、再生信号に変換される。
【００３４】
反射層４は、高反射率を有する金属膜により形成されていることが好ましい。高反射率を有する金属膜としては、具体的には、Ａｌ膜、Ａｕ膜、Ａｇ膜、および、それらの合金の膜が挙げられる。反射層４の層厚は、特に限定されるものではなく、所望の反射率を実現できる層厚に調整することができ、例えば、２０〜１００ｎｍ程度が挙げられる。
【００３５】
吸熱層３は、再生ビーム３０の照射によって、再生層２の温度を補助的に変化させる。つまり、吸熱層３は、再生ビーム３０の光を吸収して熱に変換する材料からなり、再生ビーム３０の光強度分布にしたがって温度を変え、その熱を再生層２に伝導させている。
【００３６】
吸熱層３の材料は、Ｓｉ（ケイ素）膜、Ｇｅ（ゲルマニウム）膜、ＡｇＩｎＳｂＴｅ膜・ＧｅＳｂＴｅ膜等の相変化膜、ＴｂＦｅＣｏ膜・ＤｙＦｅＣｏ膜・ＧｄＦｅＣｏ膜等の光磁気膜、およびそれらの合金膜等が挙げられる。特にＳｉ膜、Ｇｅ膜、あるいはＳｉとＧｅの合金の膜であると、安価であり、最も好ましい。吸熱層３は、使用する材料により、その膜厚を調整することができ、例えば、５〜３００ｎｍ程度が適当であるが、吸熱層３の層厚は、１０ｎｍ以上であることが好ましい。したがって、吸熱層３は、１０ｎｍ以上の厚みを持つＳｉ（シリコン）膜であることが最も好ましい。
【００３７】
なお、図１に示すように、再生層２と吸熱層３とは隣接して構成されていることが好ましい。これにより、例えば、吸熱層３は、再生ビーム３０を吸収して、熱に変換することによって、再生層２の温度上昇をより効率的に行うことができる。しかし、再生層２と吸熱層３とは、必ずしも隣接していなくてもよく、再生層２の温度を変化させうる範囲に近接していればよい。
【００３８】
なお、吸熱層３は設けなくてもかまわない。しかしながら、その場合は、再生層２が光強度のみによって光学特性が変化する材料ととするか、再生層２に、再生光を吸収して熱を発生する物質を混入するなどして、再生層２自体に吸熱性能を持たせる必要がある。
【００３９】
再生層２は、温度変化により透過率が可逆的に変化する半透明材料であって、温度上昇に応じて再生光ビーム３０の波長における透過率が上昇する材料を含んで構成されている。これにより、再生ビーム３０のスポットにおいて、温度が上昇した箇所、つまり再生ビーム３０の中心付近のより小さいスポットにおいてのみ透過率が上昇する。したがって、再生層２を透過した光ビームは、再生ビーム３０のスポット径よりも小さなスポット径の光ビームとなり、それゆえ、より小さい記録マークを再生ことができる。
【００４０】
再生層２の材料としては、温度が上昇したときに特定波長領域での透過率が大きく変化する材料、具体的には、約２０℃のものが６０〜１８０℃まで温度が上昇したときに、再生層２の光の透過率が±８０％の範囲内で変化する材料が適当である。上記材料としては、サーモクロミズム物質を用いることができる。サーモクロミズム物質とは、熱を吸収することにより、化学的に構造変化を起こし、透過率が変化する物質である。
【００４１】
温度上昇により透過率が上昇するサーモクロミズム物質としては、具体的には、金属酸化物等の無機サーモクロミズム物質；ラクトンやフルオラン等にアルカリを加えたもの、ロイコ（ｌｅｕｃｏ）色素等に有機酸を加えたもの等の有機サーモクロミズム物質が挙げられる。これらのうち、特に、その禁制帯幅が温度により変化することによって、吸収端波長の透過率が変化する金属酸化物が好ましい。このような金属酸化物は、温度変化による化学的な構造変化を繰り返しても組成や形状が変化しにくく、耐久性に優れているからである。上記金属酸化物としては、具体的には、例えば、ＺｎＯ、ＳｎＯ２、ＣｅＯ２、ＮｉＯ２、Ｉｎ２Ｏ３、ＴｉＯ２、Ｔａ２Ｏ５、ＶＯ２、ＳｒＴｉＯ３等が挙げられる。これらのうちでも、後述の実施例３に示すとおり、再生層２をＺｎＯ（酸化亜鉛）とすることで、より短いマーク長の凹凸が再生可能となるため、ＺｎＯを使用することが好ましい。また、半導体微粒子を含有するガラス、または樹脂や、サーモクロミック色素層、相変化膜などの従来より用いられてきた再生層材料を用いてもよい。
【００４２】
再生層２は、使用する材料によっては、その膜厚を調整することができ、例えば、５〜８００ｎｍ程度が適当であり、１００ｎｍ以上であることがより好ましい。したがって、再生層２は、１００ｎｍ以上の厚みを持つＺｎＯ（酸化亜鉛）膜であることが最も好ましい。
【００４３】
カバー層１は、本実施の形態では、従来例１と光学系を同一にするために設けているが、一般に光情報記録媒体３１を保護するものであり、膜厚は１〜１００μｍであることが好ましい。なお、カバー層１は、再生ビーム３０を透過する透明層であることが必要となる。
【００４４】
以上のような構成であれば、基板の表面に反射層４、吸熱層３を積層し、その表面に再生層２を積層することとなるので、基板に積層された層のうち最上層、すなわち基板から一番離れた層を再生層２とすることができる。
【００４５】
したがって、基板５に形成されている凹凸が反射層４に良好に形成された後に再生層２を形成するため、反射層４に考慮することなく、再生層２を任意の膜厚にすることができる。これにより、膜厚方向の透過率の分布が良好になり、より短いマーク長の信号を再生できるようになる。したがって、超解像性能を高めることができ、より高密度に記録された情報を記録再生できる光情報記録媒体が得られる。
【００４６】
また、ブルーレイディスク（ＢＤ）においては、基板の光入斜面に記録面を設ける方法がある。このような記録媒体では、基板を通さないで記録面にレーザー光を照射できるため、基板を通して照射するよりも、記録面に近い距離からレーザーを照射できる。このことを利用して、高ＮＡレンズを用いてよりスポット径が小さなレーザー光を照射し、より短いマーク長の記録信号を読み出すものである。しかし、このように記録層を基板の光入斜面に設けても、記録面とレーザー照射位置の距離を短くするのには限界がある。この場合も、本実施の形態のように、基板の光入斜面に再生層を設けることで、さらに短いマーク長の信号を有する光情報記録媒体を再生できる。
【００４７】
次に、上記光情報記録媒体３１の再生方法について図２を用いて説明する。
【００４８】
上記光情報記録媒体３１は、レーザー光源（図示しない）と集光レンズ等の光学系とを用いて、再生ビーム３０を、カバー層１側から基板５の光入射側の面（ピットおよび溝の少なくとも一方が形成された面）上に入射させ、その面での反射光を光ヘッド（図示しない）で検出することにより再生することができる。
【００４９】
このとき、光情報記録媒体３１に対する再生ビーム３０の照射は、再生層２における光ビームスポット内に高温部分と低温部分とが発生するように行う。例えば、再生専用の光情報記録媒体３１に対し、カバー層１側から再生ビーム３０を入射させると、再生層２表面に再生ビームスポット１１が生じる。再生ビームスポット１１は、図２（ａ）に示すように、再生ビームスポット１１の中心部分から周辺方向に向かって温度勾配が発生する。したがって、再生層２表面の再生ビームスポット１１内には、高温部１３と低温部１２とが発生する。これらの温度は、例えば、高温部１３の温度が６０℃以上１８０℃未満、低温部１２の温度が２０℃以上６０℃未満となる。すなわち、図２（ｂ）のように、光情報記録媒体３１に再生ビーム３０を照射した場合、光情報記録媒体３１のレーザースポット１１では、中心部分で高温となり、周辺に向かって温度が下がっていくという破線で示す温度分布となる。
【００５０】
再生層２は、温度変化によって、透過率が変化する。したがって、再生ビーム３０の入射によって温度が上昇したスポット中心の高温部１３では、再生ビーム３０の波長における再生層２の透過率が低下した状態（低透過率状態）となる。一方、再生ビーム３０の入射によって温度がそれほど上昇しなかった低温部１２では、再生ビーム３０の波長における再生層２の透過率が低下しない。
【００５１】
その結果、図３に示すように、光情報記録媒体３１に入射した光の多く（低温部１２の光）が再生層２で遮断され、スポット中心の高温部１３部分の光だけが再生層２を透過する。これにより、高温部１３部分の、再生層２を透過した光だけが吸熱層３および反射層４に入射する。それゆえ、反射層４面上に生じるレーザースポットが擬似的に縮小されたものとなる。このようにして、結果的に光学系解像限界より短いマーク長の信号を再生することができるのである。
【００５２】
なお、吸熱層３においては、高温部１３と低温部１２とを有する再生ビーム３０が照射されると、吸熱層３が再生ビーム３０の光を吸収して熱に変換する。したがって、吸熱層３は、高温部１３を透過した再生ビーム３０を受けて大きな熱量を発生させる。吸熱層３で変換された熱は、近接（好ましくは隣接）している再生層２に移動するため、再生層２の高温部１３の温度は、より高くなる。その結果、温度感応層２１における高温部１３領域の光の透過率はより低下する。したがって、より縮小されたビームスポットを生じやすくなり、より高精度の再生が可能となる。
【００５３】
なお、本発明の実施形態における再生層を有する光情報記録媒体としては、ＣＤ（Ｃｏｍｐａｃｔ  ｄｉｓｋ），ＣＤ−ＲＯＭ（Ｃｏｍｐａｃｔ  ｄｉｓｋ−Ｒｅａｄ  Ｏｎｌｙ  Ｍｅｍｏｒｙ），ＣＤ−Ｒ（Ｃｏｍｐａｃｔ  ｄｉｓｋ−Ｒｅｃｏｒｄａｂｌｅ），ＣＤ−ＲＷ（Ｃｏｍｐａｃｔ  ｄｉｓｋ  ＲｅＷｒｉｔａｂｌｅ），ＤＶＤ，ＤＶＤ−ＲＯＭ，ＤＶＤ−Ｒ，ＤＶＤ−ＲＷ，ＤＶＲ（Ｂｌｕ−ｒａｙ  Ｄｉｓｃ），ＤＶＲ（Ｂｌｕ−ｒａｙ  Ｄｉｓｃ）−ＲＯＭ等の円盤状の光情報記録媒体が挙げられるもののこれらに限られるものではない。
【００５４】
なお、本発明の構成は、上記の光情報記録媒体３１に限るものではない。例えば、カバー層１は再生層２面に載置させているが、ガラスのカバー層１を載置する代わりに、空気により近い屈折率と熱伝導率を有する樹脂層を密着させて配しても良い。しかしながら、空気より小さい屈折率と熱伝導率を有する樹脂は、現時点では存在しないので、再生層を空気の層と接するようにすることにより最も性能が良くなると考えられる。
【００５５】
また、再生層２に十分な反射率がある場合、反射層４は設けなくともよい。
【００５６】
また、再生開始位置を示す凹凸は無くとも良い。その場合、光情報記録媒体自体から記録及び／または再生位置を判断することができなくなる。
【００５７】
また、本発明の実施形態としては、情報の記録が可能な光情報記録媒体の場合も含まれる。
【００５８】
情報の記録が可能な光情報記録媒体としては、本実施の形態の吸熱層３を記録可能な材料とし、吸熱の役割と記録の役割を兼ね備えた層にすることで、情報記録が可能となる。記録可能な材料としては、相変化記録材料（ＧｅＳｂＴｅ等）、色素、光磁気記録材料（ＴｂＦｅＣｏ等）を用いればよい。
【００５９】
本発明は上述した実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【００６０】
また、本発明は、以下の構成とすることもできる。
【００６１】
基板と、再生装置の有する光学系解像限界より短いマーク長の信号を再生するための再生層と、を少なくとも備えた光情報記録媒体であって、該再生層が前記基板の再生光入射面側に設けられていることを特徴とする第１の光情報記録媒体。
【００６２】
第１の光情報記録媒体において、前記再生層が設けられる側の基板表面に記録及び／または再生に寄与する凹凸が設けられていることを特徴とした第２の光情報記録媒体。
【００６３】
第１または２の光情報記録媒体において、前記再生層の光入射面側の少なくとも1部が空気に接していることを特徴とする第３の光情報記録媒体。
【００６４】
第１、２，３の光情報記録媒体において、前記再生層と基板との間に少なくとも吸熱層が設けられていることを特徴とした第４の光情報記録媒体。
【００６５】
第４の光情報記録媒体において、前記吸熱層が、Si、またはGeの単体または合金からなることを特徴とする第５の光情報記録媒体。
【００６６】
第１〜第５の光情報記録媒体において、前記再生層が、金属酸化物からなることを特徴とする第６の光情報記録媒体。
【００６７】
第１〜第５の光情報記録媒体において、前記再生層が、酸化亜鉛からなることを特徴とする第７の光情報記録媒体。
【００６８】
第１〜第７の光情報記録媒体において、前記吸熱層と基板との間に少なくとも反射層が設けられていることを特徴とする第８の光情報記録媒体。
【００６９】
第１〜第８の光情報記録媒体を用いることにより、再生装置の有する光学系解像限界より短いマーク長の信号を再生することを特徴とした再生方法。
〔実施例〕
〔実施例１〕
図１に示すように、０．５ｍｍのポリオレフィン系樹脂基板（基板）５に、記録情報に対応した凹凸形状のピットを設け、ポリオレフィン系樹脂基板５のピットを設けた表面に、反射層としてのＡｌ層４（３０ｎｍ）と、吸熱層としてのＳｉ層４（５０ｎｍ）と、再生層としてのＺｎＯ膜２（２２５ｎｍ）とをこの順に積層し、再生層２表面に、カバー層としてガラス１（０．５ｍｍ）を載置した。
〔比較例１〕
図４に示す、０．５ｍｍのポリオレフィン系樹脂基板２５に、記録情報に対応した凹凸形状のピットを設け、ポリオレフィン系樹脂基板２５のピットを設けた表面に、再生層としてのＺｎＯ膜２２（２２５ｎｍ）と、吸熱層としてのＳｉ層２３（５０ｎｍ）と、反射層としてのＡｌ層２４（３０ｎｍ）と、をこの順に積層した。
〔実施例２〕
実施例１と、比較例１とを用いて、信号のマーク長と信号品質との相関を測定した。測定条件としては、再生ビーム３０における波長を４０８ｎｍ、レンズの開口度ＮＡを０．６５とし、再生ビーム３０の走査の線速を３．０（ｍ／ｓ）とした。
【００７０】
なお、両者の比較を正確に行うため、同様の機能を有する層の膜種、膜厚は、双方とも同様にしている。また、同一の測定器にて比較するため（再生層に届くまでの光学系を同じにするため）、実施例１には、比較例１のポリオレフィン系樹脂基板２５と同様の厚さのガラス１を設けている。
【００７１】
実施例１の光記録媒体に、ガラス１側から再生ビーム３０を照射し、０．１から０．５μｍの信号マーク長のピットの、Ｃ／Ｎ（信号品質を表す評価基準）を測定した。結果を図５に実線にて示す。図５は、横軸に信号マーク長を、縦軸にＣ／Ｎを示すＯＴＦであり、Ｃ／Ｎ（信号品質を表す評価基準）の記録マーク長依存性、すなわち超解像の性能差を表すものである。
【００７２】
また、比較例１の光記録媒体には、ポリオレフィン系樹脂基板２５側から再生ビーム３０を照射し、０．１から０．５μｍの信号マーク長のピットの、Ｃ／Ｎ（信号品質を表す評価基準）を測定した。結果を図５に破線にて示す。
【００７３】
図５によれば、実施例１は信号マーク長が０．１４μｍ程度まで４０〜４５ｄＢと非常に高いＣ／Ｎを示しており、それより短いマーク長でも、信号マーク長約０．１２μｍで３５ｄＢと高いＣ／Ｎを示した。すなわち、信号を再生するのに一般に必要とされるＣ／Ｎ値４０ｄＢを０.１４μｍのマーク長まで達成していることになるので、０.１４μｍのマーク長まで良好に再生できることになる。一方、従来例１では信号マーク長０．２μｍより短くなると急激にＣ／Ｎが下がる。
【００７４】
信号マーク長０．１４μｍの場合で比べると、実施例１では約４０ｄＢであるのに対し、比較例１では１７ｄＢとなる。又、０.２以下となると急激にＣ／Ｎが落ち４０ｄＢをきることから、比較例の再生限界マーク長は０.２０μｍということになる。このように、本発明の、基板の光ビーム照射側の一番基板から離れた層を再生層とし、再生層を空気の層と隣接させることで、飛躍的に超解像性能が上がり、より短いマーク長の信号を高い信号品質で再生できることが示された。
〔実施例３〕
次に、再生層の材料について検討した。
【００７５】
再生層の材料として酸化亜鉛の代わりに酸化錫を使用する以外は、実施例１と同様の構成を示す光記録媒体について、信号のマーク長と信号品質との相関を測定した。このとき、実施例２と同様に、ガラス１側から再生ビーム３０を照射し、０．１から０．５μｍの信号マーク長のピットの、Ｃ／Ｎ（信号品質を表す評価基準）を測定した。
【００７６】
これを実施例１について測定した結果と併せて図６に示す。図６は、横軸に信号マーク長を、縦軸にＣ／Ｎを示すＯＴＦであり、Ｃ／Ｎ（信号品質を表す評価基準）の記録マーク長依存性、すなわち超解像の性能差を表すものである。なお、実施例１の結果は実線で示されており、再生層が酸化錫からなるのものは、破線で示されている。
【００７７】
図６によれば、特に、信号マーク長が０．１４μｍより小さいときには、再生層を酸化亜鉛としたほうが、酸化錫としたときよりも、５ｄＢから１０ｄＢ程度高いＣ／Ｎ値を示した。したがって、再生層を酸化亜鉛とすることで、より短い信号マーク長が再生可能となることが分かる。
【００７８】
本発明の光情報記録媒体は、上記の課題を解決するために、光ビームの照射によって情報を記録する、あるいは記録された情報を再生する光情報記録媒体において、基板の光ビーム入射面側に、該光情報記録媒体に対応する再生装置の有する光学系解像限界より短いマーク長の信号を再生するための再生層を有していることを特徴としている。
【００７９】
上記「再生装置の有する光学系解像限界より短いマーク長の信号を再生するための層」とは、再生装置の持つ光学系により絞られたビームスポットより小さいマーク長の信号を再生するために設けられた層である。例えば再生層の材料として、強い光を受けると、あるいは高温で透過率の上がる材料を使用することで、再生層に入射した光ビームのうち光強度の高い部分だけが透過して、より小さなビームスポット径にて出射される。これにより再生装置の持つ光学系により絞られたビームスポットより小さいマーク長の信号を再生することができるのである。
【００８０】
再生層は、上記した特性を鑑みると、その他の光ビームの反射を行う層等より光ビーム入射側に配される必要がある。そのため、基板の光入射側とは反対側に再生層を設けた場合は、基板表面に再生層を積層し、さらにその上に反射等を行う層を積層することとなる。一方、上記構成によれば、反射等を行う層をどのように基板に積層しても、積層された基板において、光ビームが入射される側の一番基板から離れた層を再生層とすることができる。
【００８１】
したがって、基板より光が入射される側においては、一番後に再生層を形成することが可能になるため、その他の層に影響を与えることなく、再生層を任意の膜厚にて積層することができる。これにより、例えば、膜厚が厚い場合に透過率変化が大きくなる再生層が用いられている場合に解像度が良好になり、光ビームのスポット径を小さくできるため、より短いマーク長の信号を再生できるようになる。したがって、超解像性能を高めることができ、より高密度に情報を記録再生できる光情報記録媒体が得られる。
【００８２】
また、上記構造とした場合、再生層の膜厚に制限が生じることを回避できること以外に、実施例にて示すとおり、従来の光情報記録媒体と再生層の膜厚等を同じ構成にしても、より解像限界が向上する効果が見られる。
【００８３】
本発明の光情報記録媒体は、上記の課題を解決するために、光ビーム入射面に、記録及び／または再生に寄与する凹凸が設けられている基板と、基板の光ビーム入射面に積層された、情報の記録、再生を補助する機能層と、上記機能層表面に積層された、上記光ビームの光強度分布に基づいて透過率が変化する再生層と、を有することを特徴としている。
【００８４】
上記「情報の記録、再生を補助する機能層」とは、例えばレーザー光の反射、吸熱、あるいは情報の記録等を行う１以上の層である。このとき、各層が１つの機能を有していても、複数の機能、例えば吸熱および記録を行う層を有していてもよい。
【００８５】
再生層は、その他の機能層より光ビーム入射側に配される必要がある。そのため、光ビーム入射面基板の光入射側とは反対側の面に再生層を設けた場合は、基板表面に再生層を積層し、さらにその表面に機能層を積層することとなる。一方、上記構成によれば、基板の表面に機能層を積層し、その表面に再生層を積層することとなるので、基板に積層された層のうち最上層、すなわち基板から一番離れた層を再生層とすることができる。
【００８６】
したがって、基板に形成されている凹凸が機能層に良好に形成された後に再生層を形成するため、機能層に良好に凹凸が形成されるように再生層の膜厚を調整する必要がなく、再生層を任意の膜厚にすることができる。これにより、例えば、膜厚が厚い場合に透過率変化が大きくなる再生層が用いられている場合に解像度が良好になり、より短いマーク長の信号を再生できるようになる。したがって、超解像性能を高めることができ、より高密度に記録された情報を記録再生できる光情報記録媒体が得られる。
【００８７】
なお、上記のように基板に形成された「情報あるいは再生位置を示す凹凸」は、情報を記録するためのピットやグルーブに加え、記録の開始アドレス及び終了アドレスを記録する溝（情報の記録終了後、再生位置の情報を提供するためのもの）を含むことが望ましい。これにより、再生／記録装置に負担をかけること無しに、情報を記録または読み出しすることが可能になり、より高密度に記録された情報を再生できる。
【００８８】
本発明の光情報記録媒体は、上記の課題を解決するために、上記再生層が温度によって透過率が変化する材料からなることを特徴としている。上記再生層が温度によって透過率が変化することで、良好に光ビームのビームスポット径を小さくできる。
【００８９】
本発明の光情報記録媒体は、上記の課題を解決するために、上記再生層の光入射面側の少なくとも一部が空気に接していることを特徴としている。
【００９０】
上記構成によれば、上記再生層の光入射面側の少なくとも一部が空気に接しているので、光レーザーが再生層に入射したときに、空気の屈折率と再生層の屈折率との差が良好となり、容易に再生層表面にレーザー光を照射できる。
【００９１】
また、上記再生層がレーザー光の熱分布によって透過率が変化するものである場合、再生層から他の層への熱の伝導が極力抑えられるので、効率的に光ビームにより再生層を加熱させることができる。
【００９２】
したがって、上記構成によれば、再生層からの熱伝導を防止すると共に、反射光量を増加させることができるので、より良好に高密度に記録された情報を再生できる光情報記録媒体が得られる。
【００９３】
本発明の光情報記録媒体は、上記の課題を解決するために、上記機能層として、再生層に隣接して、上記光ビームの光を熱に変換する吸熱層が設けられていることを特徴としている。
【００９４】
本発明の光情報記録媒体が上記吸熱層を持たない場合、再生層が光強度のみによって光学特性が変化する材料とするか、あるいは、再生層に光ビームを吸収して熱を発生する物質を混入するなどして、再生層自体に吸熱性能を持たさなければならない。
【００９５】
一方、上記構成によれば、簡単な構成にて、再生層を透過した光ビームの光が熱に変換されて、効率よく光ビームにより再生層の温度を変化させられる。したがって、再生層自体に多様な性能を持たせることなく再生層の温度を変化でき、コストアップや、作製が困難となる等の問題を生じることなく、より安価な超解像光情報記録媒体を得ることが可能となる。
【００９６】
本発明の光情報記録媒体は、上記の課題を解決するために、上記機能層として、上記基板と再生層との間に、上記光ビームを反射する反射層が設けられていることを特徴としている。
【００９７】
上記基板と再生層との間に、上記光ビームを反射する反射層が設けられていると、基板に形成されている凹凸が反射層に良好に形成された後に再生層を形成するため、反射層に良好に凹凸が形成できるとともに、再生層を任意の膜厚にすることができる。これにより、再生層の膜厚方向の透過率の分布が良好になり、より短いマーク長の信号を再生できるようになる。したがって、超解像性能を高めることができる。
【００９８】
また、反射層を備えていることで、再生層自体に十分な反射率がない場合でも良好に光情報記録媒体を再生でき、再生層に求められる性能の多様化を防止し、より安価な超解像光情報記録媒体を得ることができる。
【００９９】
本発明の光情報記録媒体は、上記の課題を解決するために、上記再生層が、金属酸化物からなることを特徴としている。上記再生層が、金属酸化物からなることにより、安価で信頼性の高い超解像光情報記録媒体を得ることが可能となる。
【０１００】
本発明の光情報記録媒体は、上記の課題を解決するために、上記再生層が、酸化亜鉛からなることを特徴としている。上記再生層が、酸化亜鉛からなるものであれば、より短いマーク長の凹凸を読み取ることができ、高密度な情報記録が可能となる。
【０１０１】
本発明の光情報記録媒体は、上記の課題を解決するために、上記吸熱層が、ケイ素またはゲルマニウムの単体、あるいは、ケイ素とゲルマニウムとの合金からなることを特徴としている。
【０１０２】
上記吸熱層が、ケイ素またはゲルマニウムの単体、あるいは、ケイ素とゲルマニウムとの合金からなるものであれば、光情報記録媒体を安価に保ちながら、光ビームにより良好に再生層の温度を変化させられる。
【０１０３】
本発明の光情報記録媒体の再生方法は、上記の課題を解決するために、上記の光情報記録媒体を、基板の再生層が形成されている側から光ビームを照射して、再生装置の有する光学系解像限界より短いマーク長の信号を再生することを特徴としている。これにより、高密度に記録された光情報記録媒体からの情報を再生することが可能となる。
【産業上の利用可能性】
【０１０４】
本発明は、情報を記録または再生するための光情報記録媒体と、その再生方法に適用することができる。
【図面の簡単な説明】
【０１０５】
【図１】本発明の実施の一形態にかかる光情報記録媒体の断面図である。
【図２】本発明の実施の一形態にかかる光情報記録媒体に再生レーザー光を照射した状態を示す図面であり、（ａ）が再生レーザー光のスポット内温度分布を示す平面図であり、（ｂ）が光情報記録媒体の断面図とそのレーザー光照射域における温度分布を示している。
【図３】本発明の実施の一形態にかかる光情報記録媒体に再生レーザー光を照射した状態を示す図面である。
【図４】本発明の比較例の光情報記録媒体の断面図である。
【図５】本発明の一実施例の光情報記録媒体におけるＣ／Ｎ値のマーク長依存性を、比較例と比較した結果を示す図面である。
【図６】本発明の一実施例の光情報記録媒体におけるＣ／Ｎ値のマーク長依存性を示す図面である。
【図７】従来の光情報記録媒体を示すの断面図である。
【図８】他の従来の光情報記録媒体を示すの断面図である。
【符号の説明】
【０１０６】
１    カバー層
２    再生層
３    吸熱層
４    反射層
５    基板
１１  レーザースポット
１２  低温領域
１３  高温領域
３０  レーザー光
３１  光記録媒体
【図１】
2008257861.tif 000003
【図２】
2008257861.tif 000004
【図３】
2008257861.tif 000005
【図４】
2008257861.tif 000006
【図５】
2008257861.tif 000007
【図６】
2008257861.tif 000008
【図７】
2008257861.tif 000009
【図８】
2008257861.tif 000010